【手続補正書】
【提出日】平成24年1月18日(2012.1.18)
【手続補正１】
【補正対象書類名】特許請求の範囲
【補正対象項目名】全文
【補正方法】変更
【補正の内容】
【特許請求の範囲】
【請求項１】
遊技場内に設置された遊技機に対応して設けられ、
遊技に使用可能な遊技用価値の大きさを特定可能な遊技用価値特定情報と会員遊技者を個々に特定可能な会員識別情報とが記録されたカード形状を為す会員用記録媒体が挿入される会員用記録媒体挿入口と、
該会員用記録媒体挿入口に挿入された会員用記録媒体が搬送される会員用記録媒体搬送路と、
該会員用記録媒体搬送路上の会員用記録媒体配置部において前記会員用記録媒体を保持し、該保持している会員用記録媒体に記録されている前記遊技用価値特定情報並びに会員識別情報を読み出す会員用記録媒体読み出し手段と、
該会員用記録媒体読み出し手段にて読み出した前記遊技用価値特定情報から特定される遊技用価値の大きさの少なくとも一部を遊技に使用させるとともに、該使用させる遊技用価値の大きさが減算更新された新たな遊技用価値の大きさを前記遊技用価値特定情報から特定可能とする会員遊技使用処理を行う会員遊技使用処理手段と、
遊技に使用可能な遊技用価値の大きさを特定可能な遊技用価値特定情報が記録された円盤状の円盤型記録媒体が挿入される円盤型記録媒体投入口と、
該円盤型記録媒体投入口に投入された円盤型記録媒体が転動する円盤型記録媒体通路と、
該円盤型記録媒体通路上の円盤型記録媒体配置部において前記円盤型記録媒体を保持し、該保持している円盤型記録媒体に記録されている前記遊技用価値特定情報の少なくとも読み出しを行う円盤型記録媒体読み出し手段と、
前記円盤型記録媒体読み出し手段にて読み出した前記遊技用価値特定情報から特定される遊技用価値の大きさの少なくとも一部を遊技に使用させるとともに、該使用させる遊技用価値の大きさが減算更新された新たな遊技用価値の大きさを前記遊技用価値特定情報から特定可能とする非会員遊技使用処理を行う非会員遊技使用処理手段と、
を備え、
前記会員用記録媒体配置部と前記円盤型記録媒体配置部とを、各記録媒体配置部において保持される各記録媒体が所定の離間距離を有してほぼ並行に保持されるように配置するとともに、該配置された各記録媒体配置部の間に、前記各記録媒体の読み出し又は書き込みを非接触にて行うための単一の非接触通信部を有することを特徴とする遊技用装置。
【手続補正２】
【補正対象書類名】明細書
【補正対象項目名】０００２
【補正方法】変更
【補正の内容】
【０００２】
従来、この種のカードユニット等に代表される遊技用装置としては、例えば所有者が特定される会員カードの記録情報から特定されるカード残高を用いて玉貸処理を行うとともに、所有者が特定されないビジターカードの記録情報から特定されるカード残高を用いて玉貸処理を行うもの等があった（例えば、特許文献１参照）。
【手続補正３】
【補正対象書類名】明細書
【補正対象項目名】０００４
【補正方法】削除
【補正の内容】
【手続補正４】
【補正対象書類名】明細書
【補正対象項目名】０００５
【補正方法】変更
【補正の内容】
【０００５】
しかしながら、上記特許文献1に記載されるような遊技用装置にあっては、会員カードとビジターカードの２種類の記録媒体を使用できるようにするために、各記録媒体毎に個別のカードリーダライタを設けると、構造が複雑化するといった問題を有していた。
【手続補正５】
【補正対象書類名】明細書
【補正対象項目名】０００６
【補正方法】変更
【補正の内容】
【０００６】
本発明は、このような問題点に着目してなされたもので、内部構造を複雑化することなく、２種類の記録媒体を使用することができる遊技用装置を提供することを目的とする。
【手続補正６】
【補正対象書類名】明細書
【補正対象項目名】０００７
【補正方法】変更
【補正の内容】
【０００７】
上記課題を解決するために、本発明の請求項１に記載の遊技用装置は、
遊技場内に設置された遊技機に対応して設けられ、
遊技に使用可能な遊技用価値の大きさを特定可能な遊技用価値特定情報と会員遊技者を個々に特定可能な会員識別情報とが記録されたカード形状を為す会員用記録媒体が挿入される会員用記録媒体挿入口と、
該会員用記録媒体挿入口に挿入された会員用記録媒体が搬送される会員用記録媒体搬送路と、
該会員用記録媒体搬送路上の会員用記録媒体配置部において前記会員用記録媒体を保持し、該保持している会員用記録媒体に記録されている前記遊技用価値特定情報並びに会員識別情報を読み出す会員用記録媒体読み出し手段と、
該会員用記録媒体読み出し手段にて読み出した前記遊技用価値特定情報から特定される遊技用価値の大きさの少なくとも一部を遊技に使用させるとともに、該使用させる遊技用価値の大きさが減算更新された新たな遊技用価値の大きさを前記遊技用価値特定情報から特定可能とする会員遊技使用処理を行う会員遊技使用処理手段と、
貨幣を受付けて、該受付けた貨幣の真贋と貨幣種別とを識別する貨幣識別手段と、
遊技に使用可能な遊技用価値の大きさを特定可能な遊技用価値特定情報が記録された円盤状の円盤型記録媒体が挿入される円盤型記録媒体投入口と、
該円盤型記録媒体投入口に投入された円盤型記録媒体が転動する円盤型記録媒体通路と、
該円盤型記録媒体通路上の円盤型記録媒体配置部において前記円盤型記録媒体を保持し、該保持している円盤型記録媒体に記録されている前記遊技用価値特定情報の少なくとも読み出しを行う円盤型記録媒体読み出し手段と、
前記円盤型記録媒体読み出し手段にて読み出した前記遊技用価値特定情報から特定される遊技用価値の大きさの少なくとも一部を遊技に使用させるとともに、該使用させる遊技用価値の大きさが減算更新された新たな遊技用価値の大きさを前記遊技用価値特定情報から特定可能とする非会員遊技使用処理を行う非会員遊技使用処理手段と、
を備え、
前記会員用記録媒体配置部と前記円盤型記録媒体配置部とを、各記録媒体配置部において保持される各記録媒体が所定の離間距離を有してほぼ並行に保持されるように配置するとともに、該配置された各記録媒体配置部の間に、前記各記録媒体の読み出し又は書き込みを非接触にて行うための単一の非接触通信部を有することを特徴としている。
この特徴によれば、単一の非接触通信部を会員用記録媒体読み出し手段と円盤型記録媒体読み出し手段とで共用できるので、各読み出し手段を別々に設ける場合に比べ、構造をより簡素化できる。
【手続補正７】
【補正対象書類名】明細書
【補正対象項目名】０００８
【補正方法】変更
【補正の内容】
【０００８】
本発明の手段１に記載の遊技用装置は、請求項１に記載の遊技用装置であって、
貨幣を受付けて、該受付けた貨幣の真贋と貨幣種別とを識別する貨幣識別手段と、
前記貨幣識別手段にて貨幣を受付けたときに、該貨幣識別手段にて識別された識別金額の範囲内の所定額に相当する遊技用価値の大きさを、前記円盤型記録媒体読み出し手段に保持されている前記円盤型記録媒体の遊技用価値特定情報から特定可能とする遊技用価値特定可能化処理手段と、
複数の前記円盤型記録媒体を収納するための円盤型記録媒体収納部と、
該円盤型記録媒体収納部に収納されている円盤型記録媒体を前記円盤型記録媒体読み出し手段に供給するための供給手段と、
を備え、
前記供給手段は、前記円盤型記録媒体収納部に収納された円盤型記録媒体の収納状態を解除する収納解除手段と、該収納状態を解除された円盤型記録媒体を自重による転動にて前記円盤型記録媒体読み出し手段へ導くための供給通路とを含むことを特徴としている。
この特徴によれば、遊技用装置内には複数枚の円盤型記録媒体が収納され、円盤型記録媒体収納部から円盤型記録媒体が円盤型記録媒体読み出し手段に供給されるようになっているため、遊技場の店員等が遊技用装置に円盤型記録媒体を補充する手間等を低減できるばかりか、収納されている円盤型記録媒体は供給通路により自重による転動にて円盤型記録媒体読み出し手段に導かれて供給されることで、円盤型記録媒体を円盤型記録媒体読み出し手段まで搬送するための搬送機構等を設ける必要がないため、遊技用装置の構造が簡素化される。
【手続補正８】
【補正対象書類名】明細書
【補正対象項目名】０００９
【補正方法】変更
【補正の内容】
【０００９】
本発明の手段２に記載の遊技用装置は、手段１に記載の遊技用装置であって、
前記円盤型記録媒体を返却するための返却操作を遊技者より受付けるための返却操作手段と、
前記円盤型記録媒体の遊技用価値特定情報から特定される遊技用価値の大きさが残存するときに、前記返却操作手段にて返却操作を受付けたことに基づいて、前記円盤型記録媒体読み出し手段に保持している円盤型記録媒体を遊技者に返却するための返却手段と、
前記円盤型記録媒体投入口から投入された円盤型記録媒体に記録されている前記遊技用価値特定情報の少なくとも読み出しを行う受付け用記録媒体読み出し手段と、
前記円盤型記録媒体投入口から投入された円盤型記録媒体を前記受付け用記録媒体読み出し手段に導くための受付け通路と、
を備え、
前記非会員遊技使用処理手段は、前記受付け用記録媒体読み出し手段にて読み出した遊技用価値特定情報に基づいて前記非会員遊技使用処理を行い、
前記受付け通路と前記円盤型記録媒体収納部と前記供給通路とが連通する一本状の通路により形成され、
前記円盤型記録媒体投入口から投入された円盤型記録媒体の遊技用価値特定情報から特定された遊技用価値の大きさが残存するときに前記返却操作を受付けたことに基づいて、該残存する遊技用価値の大きさを前記円盤型記録媒体読み出し手段に保持されている円盤型記録媒体の遊技用価値特定情報から特定可能とするための記録媒体交換処理を実施する記録媒体交換処理手段を備え、
該記録媒体交換処理後において前記円盤型記録媒体読み出し手段に保持されている円盤型記録媒体を、前記返却手段により遊技者に返却することを特徴としている。
この特徴によれば、遊技用価値の大きさが残存する円盤型記録媒体を受付けて非会員遊技使用処理を実施可能とするときに、該受付けた円盤型記録媒体を返却するための返却通路と、円盤型記録媒体収納部に収納された円盤型記録媒体を返却するための返却通路とをそれぞれ別々に設ける必要がないため、遊技用装置の構造が簡素化される。
【手続補正９】
【補正対象書類名】明細書
【補正対象項目名】００１０
【補正方法】変更
【補正の内容】
【００１０】
本発明の手段３に記載の遊技用装置は、手段２に記載の遊技用装置であって、
前記遊技用価値特定情報は遊技用価値の大きさを含み、
前記受付け用記録媒体読み出し手段並びに前記円盤型記録媒体読み出し手段は、円盤型記録媒体への記録情報の書き込み機能を有し、
前記記録媒体交換処理手段は、投入された円盤型記録媒体に記録されている遊技用価値の大きさを前記受付け用記録媒体読み出し手段にて初期化したことを条件に、前記円盤型記録媒体読み出し手段に保持されている円盤型記録媒体に、前記残存する遊技用価値の大きさを記録することを特徴としている。
この特徴によれば、円盤型記録媒体に遊技用価値の大きさの情報が書き込まれる場合でも、遊技用価値の大きさが書き込まれた円盤型記録媒体を円盤型記録媒体読み出し手段から返却させるとともに、受付た遊技用価値の大きさが残存する円盤型記録媒体を引き抜く等の不正行為により遊技場が損害を被ること等を防止できる。
【手続補正１０】
【補正対象書類名】明細書
【補正対象項目名】００１１
【補正方法】削除
【補正の内容】
【手続補正１１】
【補正対象書類名】明細書
【補正対象項目名】０１５３
【補正方法】変更
【補正の内容】
【０１５３】
本発明の請求項１は、遊技場内に設置された遊技機（パチンコ機２）に対応して設けられ、遊技に使用可能な遊技用価値（度数）の大きさを特定可能な遊技用価値特定情報（会員カードＩＤ、度数）と会員遊技者を個々に特定可能な会員識別情報（会員ＩＤ）とが記録されたカード形状を為す会員用記録媒体（会員カード３７）が挿入される会員用記録媒体挿入口と、該会員用記録媒体挿入口に挿入された会員用記録媒体が搬送される会員用記録媒体搬送路と、該会員用記録媒体搬送路上の会員用記録媒体配置部において前記会員用記録媒体を保持し、該保持している会員用記録媒体に記録されている前記遊技用価値特定情報並びに会員識別情報を読み出す会員用記録媒体読み出し手段（カードリーダライタ３２７）と、該会員用記録媒体読み出し手段にて読み出した前記遊技用価値特定情報から特定される遊技用価値の大きさの少なくとも一部を遊技に使用させるとともに、該使用させる遊技用価値の大きさが減算更新された新たな遊技用価値の大きさを前記遊技用価値特定情報から特定可能とする会員遊技使用処理（貸出処理）を行う会員遊技使用処理手段（制御ユニット３２８）と、遊技に使用可能な遊技用価値（度数）の大きさを特定可能な遊技用価値特定情報（ビジタコインＩＤ、度数）が記録された円盤状（コイン形状）の円盤型記録媒体（ビジタコイン３８）が挿入される円盤型記録媒体投入口と、該円盤型記録媒体投入口に投入された円盤型記録媒体が転動する円盤型記録媒体通路と、該円盤型記録媒体通路上の円盤型記録媒体配置部において前記円盤型記録媒体を保持し、該保持している円盤型記録媒体に記録されている前記遊技用価値特定情報の少なくとも読み出しを行う円盤型記録媒体読み出し手段（コインリーダライタ３２４、カードリーダライタ３２７）と、前記円盤型記録媒体読み出し手段にて読み出した前記遊技用価値特定情報から特定される遊技用価値の大きさの少なくとも一部を遊技に使用させるとともに、該使用させる遊技用価値の大きさが減算更新された新たな遊技用価値の大きさを前記遊技用価値特定情報から特定可能とする非会員遊技使用処理（ビジタコイン使用処理、貸出処理）を行う非会員遊技使用処理手段｛制御ユニット３２８（ビジタコイン使用処理、貸出処理）｝と、を備え、前記会員用記録媒体配置部と前記円盤型記録媒体配置部とを、各記録媒体配置部におい
て保持される各記録媒体が所定の離間距離を有してほぼ並行に保持されるように配置するとともに、該配置された各記録媒体配置部の間に、前記各記録媒体の読み出し又は書き込みを非接触にて行うための単一の非接触通信部を有する。
【手続補正１２】
【補正対象書類名】明細書
【補正対象項目名】０１５４
【補正方法】変更
【補正の内容】
【０１５４】
本発明の手段１は、貨幣を受付けて、該受付けた貨幣の真贋と貨幣種別とを識別する貨幣識別手段と、前記貨幣識別手段にて貨幣を受付けたときに、該貨幣識別手段にて識別された識別金額の範囲内の所定額に相当する遊技用価値の大きさを、前記円盤型記録媒体読み出し手段に保持されている前記円盤型記録媒体の遊技用価値特定情報から特定可能とする遊技用価値特定可能化処理手段と、複数の前記円盤型記録媒体（ビジタコイン３８）を収納するための円盤型記録媒体収納部（収納通路１０１）と、該円盤型記録媒体収納部に収納されている円盤型記録媒体を前記円盤型記録媒体読み出し手段に供給するための供給手段（制御ユニット３２８、供給ユニット３２３）と、を備え、前記供給手段は、前記円盤型記録媒体収納部に収納された円盤型記録媒体の収納状態を解除する収納解除手段（スプロケット１２０）と、該収納状態を解除された円盤型記録媒体を自重による転動にて前記円盤型記録媒体読み出し手段へ導くための供給通路（１０２）とを含む。
【手続補正１３】
【補正対象書類名】明細書
【補正対象項目名】０１５５
【補正方法】変更
【補正の内容】
【０１５５】
本発明の手段２は、前記円盤型記録媒体を返却するための返却操作を遊技者より受付けるための返却操作手段と、前記円盤型記録媒体の遊技用価値特定情報から特定される遊技用価値の大きさが残存するときに、前記返却操作手段にて返却操作を受付けたことに基づいて、前記円盤型記録媒体読み出し手段に保持している円盤型記録媒体を遊技者に返却するための返却手段と、  前記円盤型記録媒体投入口から投入された円盤型記録媒体（ビジタコイン３８）に記録されている前記遊技用価値特定情報（度数）の少なくとも読み出しを行う受付け用記録媒体読み出し手段（コインリーダライタ３２４）と、前記円盤型記録媒体投入口から投入された円盤型記録媒体を前記受付け用記録媒体読み出し手段に導くための受付け通路（コイン投入通路１００）と、を備え、前記非会員遊技使用処理手段｛制御ユニット３２８（ビジタコイン使用処理、貸出処理）｝は、前記受付け用記録媒体読み出し手段（コインリーダライタ３２４）にて読み出した遊技用価値特定情報（ビジタコインＩＤ、度数）に基づいて前記非会員遊技使用処理（ビジタコイン使用処理、貸出処理）を行い、前記受付け通路と前記円盤型記録媒体収納部（収納通路１００）と前記供給通路（１０２、移送通路１２３）とが連通する一本状の通路により形成され、前記円盤型記録媒体投入口から投入された円盤型記録媒体の遊技用価値特定情報から特定された遊技用価値の大きさが残存するときに前記返却操作（返却ボタン１５の操作）を受付けたことに基づいて、該残存する遊技用価値の大きさを前記円盤型記録媒体読み出し手段（カードリーダライタ３２７）に保持されている円盤型記録媒体の遊技用価値特定情報から特定可能とするための記録媒体交換処理（ビジタコイン使用処理）を実施する記録媒体交換処理手段（制御ユニット３２８）を備え、該記録媒体交換処理後において前記円盤型記録媒体読み出し手段に保持されている円盤型記録媒体を、前記返却手段（制御ユニット３２８、保持片１１２、ソレノイド１１３、返却通路１０３）により遊技者に返却する。
【手続補正１４】
【補正対象書類名】明細書
【補正対象項目名】０１５６
【補正方法】変更
【補正の内容】
【０１５６】
本発明の手段３は、前記遊技用価値特定情報は遊技用価値（度数）の大きさを含み、前記受付け用記録媒体読み出し手段（コインリーダライタ３２４）並びに前記円盤型記録媒体読み出し手段（カードリーダライタ３２７）は、円盤型記録媒体（ビジタコイン３８）への記録情報の書き込み機能を有し、前記記録媒体交換処理手段｛制御ユニット３２８（ビジタコイン使用処理）｝は、投入された円盤型記録媒体に記録されている遊技用価値の大きさを前記受付け用記録媒体読み出し手段にて初期化（度数を０度数にする）したことを条件に、前記円盤型記録媒体読み出し手段に保持されている円盤型記録媒体に、前記残存する遊技用価値の大きさを記録する。
【手続補正１５】
【補正対象書類名】明細書
【補正対象項目名】０１５７
【補正方法】削除
【補正の内容】